(57)【要約】      （修正有）【課題】酵素温熱風呂を、都市部を問わず津津浦浦で可能すべく、脱衣から入浴・洗身・着衣までの一連の装置を移動可能な状態で提供する。【解決手段】脱衣から入浴・洗身・着衣までの酵素温熱風呂を利用を可能にする一連の設備、脱着衣室・酵素温熱風呂・シャワー室・簡易トイレ・貯水タンク・給湯器・プロパンガスタンク・排水タンク・各種ポンプ・発電機類、を貨物車に積載した。また、利用者が使用・操作する設備は幌１０内部に納めるとともに、利用者が操作しない設備は運転席と幌外幌前部の空間または別個の貨物車に積載して、設備全体の安全性を高めている。【選択図】図１
2020142538.tif 000002
【特許請求の範囲】
【請求項１】
酵素温熱風呂であって、脱衣から入浴、洗身、着衣までに供する装置を有幌貨物車に積載しあるいは必要に応じ別個の貨物車に分載して移動可能にしたこと、を特徴とする酵素温熱風呂。
【請求項２】
請求項１記載の発明において、酵素温熱風呂利用者が使用・操作する設備を幌内に納め、加温装置・タンク・ポンプ・発電機類を幌外部に設置したことを、を特徴とする酵素温熱風呂。
【請求項３】
請求項１記載の発明において、酵素温熱風呂利用者が使用・操作する設備を幌内に納め、加温装置・タンク・ポンプ・発電機類を別個の貨物車に分載したことを、を特徴とする酵素温熱風呂。
【発明の詳細な説明】
【技術分野】
【０００１】
本願発明は、酵素の自然発酵熱を利用した酵素温熱風呂（以下適宜「温熱風呂」と略称する。）を異なる場所に移動可能し利用する形態に関する。
【背景技術】
【０００２】
酵素を利用した温熱風呂に関しては、温床を構成する粉末状の浴剤の主成分として、おが屑またはおよび米糠等を利用したものが、健康維持・疲労回復・美容効果を目的として、巷間でかなり広く実用に供されてきており、特に近ごろでは、種々の癌に治療効果があると言われて世間ではかなりの脚光を浴びてきている。
【０００３】
しかし、巷間で実用に供されている温熱風呂は、温床に身体を埋める形式のものであることから、入浴後身体から浴剤を洗い流す設備が必要であり、さらに、洗い流された酵素粒・浴剤を含む排水の処理施設が別途必要とされ、このため、建屋内に固定的に設置され、移動可能な設備とは言えない。
また、設備費用と利用者数の関係から、営業上どうしても人々が大勢集まる場所、特に都市部、に偏在しがちな設備である。
【０００４】
一方、東日本大震災で福島第一原子力発電所事故で炉心溶解による放射性物質の漏洩に見舞われた場所では甲状腺がんの発生が懸念され、その予防・治療に効果がみられるといわれる酵素温熱風呂の要請要望がありながら、上記０００３記載の事情から、需要に応えることができていない。
【０００５】
また、団地等の集合住宅や、地方の市町村では、酵素温熱風呂の要望がありながら、同様に上記０００３記載の事情から、需要に応えられないでいる。
【０００６】
放射性物質の漏洩に見舞われた地方、団地等の集合住宅および地方の市町村では、都市部と異なり、そこそこの空地・広場があって駐車場として利用可能な場所が多いことから、移動式の温熱風呂であれば利用が可能となり、適時巡回サービスも可能となって極めて好都合である。
【先行技術文献】
【特許文献】
【０００７】
【特許文献１】特許情報プラットフォームの特許・実用新案検索（国内、特許・実用新案）で、以下の条件で検索しましたが、該当すると思料できるものはありません。          「国内」                                                                    「全文」            「酵素風呂」                                    ＡＮＤ  「全文」            「移動、車、車載」（ＯＲ）                    発見された件数は、１０件
【発明の概要】
【発明が解決しようとする課題】
【０００８】
本願発明は、上記のような事情のもとで考えだされた酵素温熱風呂の利用形態に関するもので、脱衣から入浴・洗身・着衣までの酵素温熱風呂の利用が、一連の設備で異なる場所で提供できるようにするサービスに関する。
【課題を解決するための手段】
【０００９】
このため、本願発明では、脱衣から入浴・洗身・着衣までの酵素温熱風呂を利用を可能にする一連の設備を有幌貨物車および必要に応じ別個の貨物車に積載した。
【発明の効果】
【００１０】
４トン程度の貨物車を駐車できるスペースがあれば、日本津津浦浦で利用可能である。
【００１１】
給水さえできれば、巡回サービスも可能であり、容易に要望に応じることができる。
【００１２】
巡回サービスを活用すれば、放射性物質の漏洩に見舞われた場所での甲状腺がんの発生予防・治療に活用できる。
【００１３】
温熱風呂利用者は遠路出掛ける必要がなくなり、特に移動手段の少ない高齢者には利用価値の高いものとなる。
【００１４】
加温装置・タンク・ポンプ・発電機類を幌外部に設けて、安全性を高めているともに、利用者の目に触れる必要の無い装置類も幌の外部に設置し、美観性を良くしている。
また、加温装置・タンク・ポンプ・発電機類を別個の貨物車に積載した場合は、長距離の移動を可能にし、運転者および利用者の安全性を一層高めることができる。
【００１５】
洗身に使用した排水には有益な酵素を多量に含んでおり、田畑の肥料として有効利用できるものであることから、事前に地方地方の篤農家と話を付けておけば、排水処理に難渋することは無くなり、一石二鳥の効果を望むことができる。
【図面の簡単な説明】
【００１６】
【図１】本願発明の酵素温熱風呂装置を積載した有幌貨物車の俯瞰図である。
【図２】本願発明の有幌貨物車の幌の一部を取り外した場合の酵素温熱風呂装置の一部を示す俯瞰図である。
【図３】本願発明の有幌貨物車のすべての幌を取り外した場合の幌の前部に設置された酵素温熱風呂装置の残部を示す俯瞰図である。
【発明を実施するための形態】
【００１７】
以下に記載する形態は、望ましい形態を示すものであり、したがって、コスト面から簡略化されたり、他の形態に置き換わられる設備も当然あり得る。
【００１８】
酵素温熱風呂装置を積載する有幌貨物車は、４トン車程度であれば、酵素温熱風呂を複数設けることができる。
加温装置・タンク・ポンプ・発電機類を別個の貨物車に積載した場合（図示省略）は、有幌貨物車にはさらに多くの酵素温熱風呂を設置することが可能になり、この点からも遠距離移動のサービスに好都合となる。
【００１９】
幌１０（図１）は、通常アルミ材製が用いられ、幌の後部壁は二つの開閉扉で構成され、一つの開閉扉には利用者の出入扉が設けられている。また幌の側壁には適宜換気口・採光窓が設けられている（図示省略）。
【００２０】
積載する付帯設備としては、図２に示すように、利用者が使用・操作する設備は幌内部に納められ、個別に脱着衣室２１、酵素温熱風呂２２、シャワー室２３、簡易トイレ２９が設けられている。
【００２１】
利用者が操作しない設備は運転席と幌外幌前部の空間に納められ、貯水タンク３１、給湯器３２、プロパンガスタンク３３、排水タンク３４、各種ポンプ・発電機類格納場所３６および収納箱３８からなっている。これらの加温装置・ポンプ・発電機類は幌の外部に設けて、安全性を高めている。
なお、幌の外部に設けられる加温装置・タンク・ポンプ・発電機類を別個の貨物車に積載する場合もあるが、この場合の有幌貨物車の各装置との相互の連結は着脱容易なカプラー方式によるホース接続が通常採用される。
【００２２】
利用者の利用状況、装置の運転状況は次のようになる。
【００２３】
脱着衣室２１で脱衣して、酵素温熱風呂２２に身体を埋め、１時間程度の酵素浴に入る。
【００２４】
貯水タンク３１の水は給湯器３２に送られ、プロパンガス３３によって加温されて温水となり、シャワー室２３に送られ、酵素浴を済ませた利用者の洗身用の温水として利用される。
【００２５】
洗身に使用された排水は排水タンクに３４溜められる。洗身に使用された排水には有益な酵素を多量に含んでいることから、田畑の肥料として有効利用できるものであり、事前に打ち合わせておいた農家あれば農家の田畑に運び、排水される。
【００２６】
収納箱３８には、補充酵素・発電機用燃料等が収納される。
【産業上の利用可能性】
【００２７】
健康維持・疲労回復・美容効果を目的として、巷間でかなり広く実用に供されている
酵素温熱風呂を、都市部・地方の場所を問わずに利用でき、特に、放射性物質の漏洩に見舞われた地方では、甲状腺がんの発生予防・治療に提供でき、健康産業において一層利用性を高めるものである。
【符号の説明】
【００２８】
１０    幌
１５    幌後部壁の開閉扉（その１）
１６    幌後部壁の開閉扉（その２）
１７    幌後部壁の開閉扉（その２）に設けられた利用者出入扉
２１    脱着衣室
２２    酵素温熱風呂
２３    シャワー室
２９    簡易トイレ
３１    貯水タンク
３２    給湯器
３３    プロパンガスタンク
３４    排水タンク
３６    各種ポンプ・発電機類格納場所
３８    収納箱
【図１】
2020142538.tif 000003
【図２】
2020142538.tif 000004
【図３】
2020142538.tif 000005